(57)【要約】【課題】容器のサイズを縮小し、外観を所望するデザインで容易に交換・変更できる装飾用カバー及びそれを備えた観賞用植物培養容器を提供する。【解決手段】内部に土壌及び植物のための空間を有し、かつ、植物の発育のための発育孔が上部に形成され、植物の発育に必要な水分を供給するための水分吸収孔が底部に形成された装飾用カバーと、装飾用カバーの内部に土壌を入れて植物を植えるために、装飾用カバーの周縁を開閉するように形成された結合部と、を備える。【選択図】図５
0003114315.tif 000002
【実用新案登録請求の範囲】
【請求項１】
内部に土壌及び植物のための空間を有し、かつ、植物の発育のための発育孔が上部に形成され、植物の発育に必要な水分を供給するための水分吸収孔が底部に形成された装飾用カバーと、
該装飾用カバーの内部に土壌を入れて植物を植えるために、装飾用カバーの周縁を開閉するように形成された結合部と、を備えた、ことを特徴とする観賞用植物培養容器。
【請求項２】
内部に土壌及び植物のための空間を有し、かつ、植物の発育のための発育孔が上部に形成され、植物の発育に必要な水分を供給するための水分吸収孔が底部に形成され、また必要に応じて、結合部によって分離または結合可能な装飾用カバーと、
該装飾用カバーの内部に取り付けられ、土壌と植物を入れることができる植栽部材と、を備えた、ことを特徴とする観賞用植物培養容器。
【請求項３】
前記装飾用カバーが、前記結合部の反対側にヒンジ部を有する、ことを特徴とする請求項１または２に記載の観賞用植物培養容器。
【請求項４】
前記装飾用カバーが、二つ以上の片部に完全に分離可能に結合する、ことを特徴とする請求項１または２に記載の観賞用植物培養容器。
【請求項５】
前記装飾用カバーが、さらに、水分を供給するための受け台を備え、装飾用カバーが受け台に安着できる、ことを特徴とする請求項１または２に記載の観賞用植物培養容器。
【請求項６】
前記植栽部材が、前記装飾用カバーの発育孔及び水分吸収孔にそれぞれ対応する部位を開放した上部開放孔及び下部開放孔を有する、ことを特徴とする請求項２に記載の観賞用植物培養容器。
【請求項７】
前記植栽部材が、外部空気の流入のため周縁に複数の通気孔を有する、ことを特徴とする請求項２に記載の観賞用植物培養容器。
【請求項８】
前記植栽部材が、植物の移植を容易にするために、ロック部によって内部を開閉可能に形成される、ことを特徴とする請求項２に記載の観賞用植物培養容器。
【請求項９】
内部に土壌及び植物のための空間を有し、かつ、植物の発育のための発育孔が上部に形成され、植物の発育に必要な水分を供給するための水分吸収孔が底部に形成され、また必要に応じて、結合部によって分離または結合可能な観賞用植物培養の装飾用カバー。
【考案の詳細な説明】
【技術分野】
【０００１】
本考案は、観賞用植物培養の装飾用カバー及びそれを備えた観賞用植物培養容器に関し、より詳細には、観賞用植物を栽培するための容器のサイズを縮小し、容易な方法で植物を植え替えることができ、内部に種を蒔いてから包装して流通させるとともに、観賞用植物を栽培するための容器の外観を所望するデザインに容易に交換することができる観賞用植物培養の装飾用カバー及びそれを備えた観賞用植物培養容器に関する。
【背景技術】
【０００２】
一般に、室内空間で小型の植物を栽培するのに使われる植木鉢は、草花、蘭などの植物を、本体の上部に植えて栽培または観賞できるようにしたものであって、定期的な水分の供給によって植物を成長させる構造からなっている。
このような植木鉢は、粘土で一定の形状を作った後、高温で焼いた陶磁器などが主に用いられていたが、最近、大量生産に適し、維持や補修が比較的容易なプラスチック容器などに代替しているのが現状である。
【０００３】
しかしながら、従来の植木鉢は、内部に少量の土壌を積層し、その上に植物を載せてさらに土壌で覆うので、植木鉢を交換する際の煩雑さを回避できなかった。しかも、上部を完全に開放した状態で流通するため、運搬の際に土壌が外部にこぼれるという問題があった。
【特許文献１】ＵＳ２００４／０２５０４７１ Ａ１
【特許文献２】ＵＳ２００５／００８６８６３ Ａ１
【考案の開示】
【考案が解決しようとする課題】
【０００４】
本考案は、上述の問題点に鑑みてなされたもので、その目的は、任意の形状を有する装飾用カバーまたはその内部の植栽部材に土壌及び植物を一緒に入れて結合することにより、より簡単に植物を植栽、移植することができるのみならず、多様な模様や形態を有する装飾用カバーを用いることにより美観を向上することができる観賞用植物培養の装飾用カバー及びそれを備えた観賞用植物培養容器を提供することにある。
【課題を解決するための手段】
【０００５】
上記目的を達成すべく、本考案の一形態は、内部に土壌及び植物のための空間を有し、かつ、植物の発育のための発育孔が上部に形成され、植物の発育に必要な水分を供給するための水分吸収孔が底部に形成された装飾用カバーと、該装飾用カバーの内部に土壌を入れて植物を植えるために、装飾用カバーの周縁を開閉するように形成された結合部と、を備えた観賞用植物培養容器を特徴とする。
【０００６】
本考案の他の形態は、内部に土壌及び植物のための空間を有し、かつ、植物の発育のための発育孔が上部に形成され、植物の発育に必要な水分を供給するための水分吸収孔が底部に形成され、また必要に応じて、結合部によって分離または結合可能な装飾用カバーと、該装飾用カバーの内部に取り付けられ、土壌と植物を入れることができる植栽部材と、を備えた観賞用植物培養容器を特徴とする。
【０００７】
ここで、前記植栽部材の上部には装飾用カバーと同様に、植物の発育のための上部開放孔、及び前記植栽部材の底部には水分吸収のための下部開放孔がそれぞれ形成され、前記植栽部材は、外部空気を流入させて根の発育を向上させるために、周縁に通気孔が形成されていることが好ましい。
【０００８】
本考案のさらに他の形態は、内部に土壌及び植物のための空間を有し、かつ、植物の発育のための発育孔が上部に形成され、植物の発育に必要な水分を供給するための水分吸収孔が底部に形成され、また必要に応じて、結合部によって分離または結合可能な観賞用植物培養の装飾用カバーを特徴とする。
【考案の効果】
【０００９】
本考案によれば、植物に栄養分を提供する土壌を入れた装飾用カバーまたは植栽部材が分離されるようにして、その内部に土壌と植物を入れて相互結合することにより、植物を容易に植栽、移植することができるとともに、容器のサイズを大幅に縮小することができ、室内で観賞用植物をより簡単に栽培することができる。
また、土壌を入れた植栽部材の外部に、多様な形態を有する装飾用カバーを設けることにより、美観を向上させることができる。
【考案を実施するための最良の形態】
【００１０】
以下、本考案の好ましい実施形態を、添付図面に基づき詳細に説明するが、本考案はこれに限定されるものではない。
【００１１】
図１は、本考案の第１の実施形態による装飾用カバーの使用形態を示す観賞用植物培養容器を示す斜視図であり、図２は、図１の分解斜視図である。
また、図３は、本考案の第２の実施形態による観賞用植物培養容器の包装状態を示す斜視図である。
また、図４は、本考案の第３の実施形態による装飾用カバーの使用形態を示す観賞用植物培養容器を示す斜視図であり、図５は、図４の分解斜視図である。図６は、図４の断面図である。
【００１２】
図１及び図２に示すように、本考案の第１の実施形態による観賞用植物培養器は、装飾用カバー２０と、受け台３０とで構成されている。
装飾用カバー２０は、任意の形状からなり、内部には直接土壌と植物を入れる空間が形成されている。
また、装飾用カバー２０には、植物が育つように上部に発育孔２１が形成されており、底部には水分を吸収するための水分吸収孔２２が形成されている。
本観賞用植物培養器は、装飾用カバー２０が安着するための受け台３０をさらに備えており、受け台３０には、中央に装飾用カバー２０の下部の一部を収める安着孔３２が形成されている。
この安着孔３２は水を貯蔵して水分吸収孔２２に水を供給するために、図に示したような凹形状をなしている。
【００１３】
また、装飾用カバー２０の内部には、水分吸収孔２２に対応する内底部に複数の孔が形成されたスクリーン３が設けられている。スクリーン３は、装飾用カバー２０の内部の土壌と植物が底部からこぼれ落ちないようにするためのものであり、比較的小さいメッシュの孔を形成することで植物の根が外部の水分を吸い込むことができるようにしている。
【００１４】
装飾用カバー２０は、二つに分離されて一側縁に結合部２４を形成することにより、内部を開閉することができ、他側縁にヒンジ部５０を形成して完全に分離されずに回動するようになっている。
【００１５】
このとき、結合部２４は、密閉時に相互接触する一側縁の中央に突設されたフック突起２６と他側縁の中央に形成されたフック溝２８とから構成される。
フック突起２６は、端部を内側に折り曲げ、フック溝２８はフック突起２６の折り曲げられた端部を引っ掛けて固定する。
【００１６】
これにより装飾用カバー２０は、ヒンジ部５０を中心にして内部を開閉し、内部の土壌と植物を容易に交換することができるとともに、縦方向に開閉して、内部に土壌を入れると同時に植物を植えることができるため、サイズを縮小することが可能となる。また、結合部２４で結合することにより、土壌と植物が不用意にこぼれ出ることを防止することができる。
【００１７】
また、図３に示すように、本考案の第２の実施形態による装飾用カバー２０は、内部に積層される土壌に種を蒔き、外部を包装材６０で包んで受け台３０とともに販売または流通させることができる。
【００１８】
このとき包装材６０は、透明なビニール材からなり、内部を確認することができ、また、周縁に一定間隔で切り線６２を有することで、容易に取り外すことができるようになっている。
【００１９】
そして、使用者は、装飾用カバー２０を包んでいる包装材６０を取り外してから、水を入れた受け台３０の安着孔３２に安着させる。
すると、装飾用カバー２０は、下部から水を吸収し、種は発芽して発育孔２１から発育することとなる。
【００２０】
ここで装飾用カバー２０は、プラスチック材質からなり大体軽いものであり、ヒンジ部５０を中心に容易に回動する。
【００２１】
また、図４乃至図６に示すように、本考案の第３の実施形態による観賞用植物培養容器は、植物への栄養分の供給のための土壌を直接貯蔵する植栽部材１００と、互いに異なる形状からなり、それを選択的に植栽部材１００の外側に設けることで美観を向上させる装飾用カバー１２０と、植栽部材１００及び装飾用カバー１２０の下部に設けられ、植栽部材１００の内部の土壌に水分を供給するための受け台１３０とからなる。
【００２２】
植栽部材１００は、通常の植木鉢であっても、任意の形状を有していてもよい。
また植栽部材１００は、上部に上部開放孔１０１を有しておりここから植物が育つようになっており、底部に下部開放孔１０２を有しており外部から水分の供給を受けられるようになっている。
【００２３】
このとき植栽部材１００は、内部に土壌を容易に入れられるように、上部または下部を相対的に大きく形成することが好ましいが、上部を大きくする場合、水分が蒸発してしまう恐れがあるので、下部を大きく形成することが好ましい。そこで植栽部材１００の下部には、比較的大きな孔を形成し、土壌を入れた後、スクリーン１０３で塞ぐことができるようにしている。すなわちスクリーン１０３は、脱着部材１０４によって植栽部材１００の下部に結合または分離可能となっている。
【００２４】
脱着部材１０４は、スクリーン１０３の周縁に形成された結合突起１０５と、結合突起１０５に対応して植栽部材１００の下端の周縁部に一体に形成された複数の結合孔１０６とからなる。
【００２５】
結合突起１０５は、外力により結合孔１０６に挿入されてスクリーン１０３を固定することでき、外力により結合孔１０６から離脱することにより、スクリーン１０３を植栽部材１００から分離することができる。
【００２６】
またスクリーン１０３には、下部開放孔１０２が形成されている。この下部開放孔１０２は、植栽部材１００の土壌を外部に排出しにくいメッシュからなる。
【００２７】
また植栽部材１００は、周縁に複数の通気孔１０７を有し、土壌の内部に空気を供給することにより、植物の成長を助ける。
また、植物の根を損傷させずに容易に移植するために、植栽部材１００は、ロック部１４０によって分離可能なように形成されている。すなわち植栽部材１００は、相互接触する周縁に、その周縁のある位置をヒンジする一対のロック部１４０を形成することにより、相互結合されている。
【００２８】
ロック部１４０は、ヒンジされる一対の植栽部材１００のいずれか一つの周縁に延設されたロック突起１４２と、ロック突起１４２に対応する周縁に通孔を形成してロック突起１４２を嵌合するロック溝１４４とからなる。このとき、ロック突起１４２は、植栽部材１００の周縁から延長し、弾性可能に形成され、ロック溝１４４から容易に脱着できるようになっている。
【００２９】
一方、装飾用カバー１２０は、植栽部材１００の周縁を包んでおり、その外形は、犬、猫などの動物の形状や好みに合う如何なるデザインであってもよく、これによって、植栽部材１００を隠して美観を向上させることができる。
【００３０】
また、装飾用カバー１２０には、植栽部材１００の上部開放孔１０１及び下部開放孔１０２に対応する位置に、発育孔１２１及び水分吸収孔１２２が形成されており、ここから植物を発育させるとともに水分を供給する。
【００３１】
また、図示してはいないが、植栽部材１００と同様に、装飾用カバー１２０には、植物の成長に必要な外部空気を供給可能にするため、周縁に複数の通気孔を形成することが好ましい。
【００３２】
このとき、装飾用カバー１２０は、完全に分離される一対からなり、対向する周縁に結合部１２４を設けることにより容易に結合又は分離することができるようになっている。
【００３３】
結合部１２４は、切開された装飾用カバーのそれぞれの周縁の相互対応する位置に、それぞれ形成されたフック突起１２６とフック溝１２８とからなる。
このとき、前記フック突起１２６は、装飾用カバー１２０の切開面の全周縁に渡って延設され、その端部を装飾用カバー１２０の中心方向に突設する。
また、前記フック溝１２８は、フック突起１２６に対応する全周縁に渡って凹設され、フック突起１２６を安着させる。
【００３４】
このように、装飾用カバー１２０が、結合部１２４によって容易に結合または結合解除されることによって、必要に応じて形状を交換・変更することができる。
また装飾用カバー１２０は、三つ以上に分離され、それぞれを結合部１２４により玩具用ブロックのように相互に嵌合または結合させることもできる。
【００３５】
一方受け台１３０は、植栽部材１００及び装飾用カバー１２０の下部を同時に受け、植栽部材１００の内部の土壌が底から排出されるとき、汚れを防止するとともに植栽部材１００の内部の土壌に水分を供給する。
【００３６】
装飾用カバー１２０は、植栽部材１００を内部に備えて観賞用植物の栽培容器として流通販売させてもよく、またはその内部に植物の種やある程度育った植物を入れて販売、流通させてもよい。さらには装飾用カバー１２０のみを別途に製作、販売、流通させることもできる。
【図面の簡単な説明】
【００３７】
【図１】本考案の第１の実施形態による装飾用カバーの使用形態を示す観賞用植物培養容器を示す斜視図である。
【図２】図１の分解斜視図である。
【図３】本考案の第２の実施形態による観賞用植物培養容器の包装状態を示す斜視図である。
【図４】本考案の第３の実施形態による装飾用カバーの使用形態を示す観賞用植物培養容器を示す斜視図である。
【図５】図４の分解斜視図である。
【図６】図４の断面図である。
【符号の説明】
【００３８】
２０、１２０    装飾用カバー
２１、１２１    発育孔
２２、１２２    水分吸収孔
２４、１２４    結合部
２６、１２６    フック突起
２８、１２８    フック溝
５０    ヒンジ部
６０    包装材
１００    植栽部材
１０４    脱着部材
１０５    結合突起
１０６    結合孔
１０７    通気孔
１４０    ロック部
１４２    ロック突起
１４４    ロック溝
【図１】
0003114315.tif 000003
【図２】
0003114315.tif 000004
【図３】
0003114315.tif 000005
【図４】
0003114315.tif 000006
【図５】
0003114315.tif 000007
【図６】
0003114315.tif 000008